(57)【要約】  本発明は、切頭円錐形の領域（３）と重力方向への下側の放出開口部（４）を有する円筒形の受入れ容器（２）と、受入れ容器（２）内で回転する少なくとも一つの混合機構（５）を有する、混合室（７）内で中央に配置された混合機構軸（６）を備えた混合可能な材料を受入れ兼放出するための装置（１）に関する。混合室内にある混合物の全てが、僅かな混合物の領域も集中した混合物の領域も確実に通流するように、放出開口部（４）が、受入れ容器（２）の下側の領域（３）の内部（３）に突出する移動体装置（１０）を備えており、混合機構（５）の主混合工具（５”，９）が、下側の容器壁（１３）と移動体装置（１０）の間の横断面がほぼＶ字状の流路（１６）内に突出していることが考慮されている。
2017506576.tif 000002
【特許請求の範囲】
【請求項１】
切頭円錐形の領域（３）と重力方向への下側の放出開口部（４）を有する円筒形の受入れ容器（２）と、受入れ容器（２）内で回転する少なくとも一つの混合機構（５）を有する、混合室（７）内で中央に配置された混合機構軸（６）を備えた混合可能な材料を受入れ兼放出するための装置（１）において、
放出開口部（４）が、受入れ容器（２）の下側の領域（３）の内部（３）に突出する移動体装置（１０）を備えており、混合機構（５）の主混合工具（５”，９）が、下側の容器壁（１３）と移動体装置（１０）の間の横断面がほぼＶ字状の流路（１６）内に突出していることを特徴とする装置。
【請求項２】
移動体装置（１０）が放出開口部（４）を開放するために受入れ容器（２）の内部へ移動可能であることを特徴とする請求項１に記載の装置。
【請求項３】
移動体装置（１０）が放出開口部（４）を開放するために放出開口部（４）の下方に沈下可能であることを特徴とする請求項１に記載の装置。
【請求項４】
移動体装置（１０）が混合室（７）の内部に配置されていることを特徴とする請求項１〜３のいずれか一つに記載の装置。
【請求項５】
移動体装置（１０）がその下側縁部（１７）に受入れ容器（２）の放出開口部（４）よりも大きな直径を備えていることを特徴とする請求項１〜４のいずれか一つに記載の装置。
【請求項６】
移動体装置（１０）が回転する部材（１０ａ）として構成されていることを特徴とする請求項１〜５のいずれか一つに記載の装置。
【請求項７】
移動体装置（１０）が下側の容器壁（１３）により密に閉鎖されていることを特徴とする請求項１〜６のいずれか一つに記載の装置。
【請求項８】
移動体装置（１０）が並進運動で混合室（７）内に移動可能であるか或いはこの混合室から沈下可能であることを特徴とする請求項１〜７のいずれか一つに記載の装置。
【請求項９】
移動体装置（１０）が持上げ回転運動により受入れ容器（２）の下側の領域（３）内に移動可能であるか或いはこの下側の領域から沈下可能であることを特徴とする請求項１〜８のいずれか一つに記載の装置。
【請求項１０】
移動体装置（１０）が円滑に削られた金属材料から製造されていることを特徴とする請求項１〜９のいずれか一つに記載の装置。
【請求項１１】
移動体装置（１０）がガスが通過可能なプラスチックから製造されていることを特徴とする請求項１〜１０のいずれか一つに記載の装置。
【請求項１２】
移動体装置（１０）が可撓な材料から製造されていることを特徴とする請求項１〜１１のいずれか一つに記載の装置。
【請求項１３】
移動体装置（１０）が可撓に膨張可能であるか或いは収縮可能であることを特徴とする請求項１〜１２のいずれか一つに記載の装置。
【請求項１４】
移動体装置（１０）が可撓に内側に向かってかぶし可能であるか或いは下方に引出し可能であることを特徴とする請求項１〜１３のいずれか一つに記載の装置。
【請求項１５】
移動体装置（１０）が振動技術的に敏感性であることを特徴とする請求項１〜１４のいずれか一つに記載の装置。
【請求項１６】
移動体装置（１０）が、下側の容器壁（１３）に続いて、回転する主混合工具（５”，１０）が混合物をデッドスペース無しでかつストレス無しで捕捉することができるように形成されていることを特徴とする請求項１〜１５のいずれか一つに記載の装置。
【請求項１７】
移動体装置（１０）が、回転する主混合工具（５”，１０）により拭われることを特徴とする請求項１〜１６のいずれか一つに記載の装置。
【請求項１８】
一部が干渉する少なくとも二つの受入れ容器が、各受入れ容器（４）内で回転している少なくとも二つの混合機構（５）と組合されていることを特徴とする請求項１〜１７のいずれか一つに記載の装置。
【請求項１９】
液体を付加するための少なくとも一つのランス（１５）が、移動体装置（１０）に設けられていることを特徴とする請求項１〜１８のいずれか一つに記載の装置。
【請求項２０】
静的混合工具（１４）が移動体装置（１０）に固定されていることを特徴とする請求項１〜１９のいずれか一つに記載の装置。
【請求項２１】
移動体装置（１０ａ）内に駆動モータと伝動機構が配置されていることを特徴とする請求項６に記載の装置。
【請求項２２】
混合可能な材料が重力により移動体装置に沿って滑るように移動体装置（１０，１０ａ）が形成されかつ設けられていることを特徴とする請求項１〜２１のいずれか一つに記載の装置。
【請求項２３】
移動体装置（１０，１０ａ）が混合物を混合室（７）の中央からその周囲部に案内し、そこで混合物が主混合工具（５”，９）により捕捉されかつ上方へと給送されることを特徴とする請求項１〜２２のいずれか一つに記載の装置。
【請求項２４】
主混合工具（５”，９）が混合物を横断面がほぼＶ字状の流路（１６）の底部（２２）において捕捉するように形成されていることを特徴とする請求項１〜２３のいずれか一つに記載の装置。
【請求項２５】
主混合工具（５”，９）が、横断面がほぼＶ字状の流路（１６）の底部（２２）まで達する先端部（２０）を備えていることを特徴とする請求項１〜２４のいずれか一つに記載の装置。
【請求項２６】
混合物が、混合機構（５）が回転する際に下側の容器壁（１３）に沿って上方へ給送されるように、主混合工具（５”，９）が下側の容器壁（１３）の輪郭に合わせられていることを特徴とする請求項１〜２５のいずれか一つに記載の装置。
【請求項２７】
主混合工具（５”，９）が下側の容器壁（１３）に対して輪郭に平行に対応するように形成されていることを特徴とする請求項１〜２６のいずれか一つに記載の装置。
【請求項２８】
下側の容器壁（１３）と主混合工具（５”，９）の間に逃げ角（１８）が設けられていることを特徴とする請求項１〜２７のいずれか一つに記載の装置。
【請求項２９】
移動体装置（１０，１０ａ）の領域が主混合工具（５”，９）により拭われることを特徴とする請求項１７に記載の装置。
【請求項３０】
拭われる領域が移動体装置（１０，１０ａ）の下側の部分領域に設けられておりかつ横断面がほぼＶ字状の流路（１６）の底部（２２）まで達することを特徴とする請求項２９に記載の装置。
【請求項３１】
持上げ回転運動後の移動体装置（１０，１０ａ）の下側縁部（１７）と移動体装置（１０，１０ａ）の上側の端部（２３）の間の表面の傾斜が重力方向に対して最大限で６５°の角度を有することを特徴とする請求項９に記載の装置。
【発明の詳細な説明】
【技術分野】
【０００１】
本発明は、切頭円錐形の下側の領域と重力方向への下側の放出開口部を有する円筒形の受入れ容器と、受入れ容器内で回転する少なくとも一つの混合機構を有する、混合室内で中央に配置された混合機構軸を備えた混合可能な材料を受入れ兼放出するための装置に関する。
【背景技術】
【０００２】
従来技術において、すでに混合機械は回転対称な混合室でもって知られており、これらの混合室の場合、混合工具の駆動軸は混合室の中央で支承されている。実質的に水平な旋回軸に沿って、少なくとも一つの混合工具を有する混合機構を備えた混合駆動機構があり、混合工具は螺旋状に混合機構軸を中心にして巻かれた渦巻バネである。混合物容器とは、特許文献１によれば、断面が下側の端部まで先細りになっている、混合機構の下側の閉鎖部を備えた容器である。この混合機構は混合物容器が閉鎖する際にこの容器の中に沈下する。特許文献２によれば、渦巻バネは沈下する際に混合物内にねじ込む。特許文献１による容器は、そのデザインと下側の閉鎖部によりそれ自体空であり、質量流量は分離せずにあっさり突然そして完全に生じる。
【０００３】
混合工具は混合物をできるだけ完全に通流しなければならない。しかし従来技術で知られた装置の場合、混合室の中央では単に回転運動だけが提示しているにすぎない。それに対して周辺では回転と付属する並進が行われる。これは混合工具により捕捉される混合物にもあてはまる。混合物は混合工具の回転軸から距離がへだっていればいるほど、いっそう強く混合される。
【０００４】
渦巻バネ混合工具は三次元の完全な流れを発生させる。その際に周辺における上方への流れが起こるが、下方への流れが中央にて起こる。混合物の３次元の再配置を達成するために、付加的な混合機構あるいは費用のかかる支承構造が必要である。
【０００５】
従って特許文献１は円形に混合室内で回転するスクリューを使用して混合可能な材料を受入れ兼放出するための装置を示している。受入れ容器の底部領域には放出開口部が設けられており、この放出開口部は上方にアーチ形のボトムカバを備えている。
【０００６】
特許文献２からは、中央で混合室内に配置された主混合機構と容器壁に沿って配置されている螺旋形状の撹拌羽根を備えた混合可能な材料を受入れ兼放出するための装置が知られており、放出開口部は上方にアーチ型の底板を備えている。
【先行技術文献】
【特許文献】
【０００７】
【特許文献１】独国特許第１９９２６０４５号明細書
【特許文献２】独国特許出願公開第１９８０９４７６号明細書
【特許文献３】特開２００６−４３６２４号公報
【特許文献４】実開昭５５−７６０２９号公報
【発明の概要】
【発明が解決しようとする課題】
【０００８】
従って本発明の課題は、混合室内にある混合物が全て、僅かな混合の領域も、集中的な混合の領域も確実に流れ過ぎる簡単な解決手段を提供することである。
【課題を解決するための手段】
【０００９】
この課題は本発明によれば、放出開口部が、受入れ容器の下側の領域の内部に突出する移動体装置を備えており、混合機構の主混合工具が、下側の容器壁と移動体装置の間の横断面がほぼＶ字状の流路内に突出していることにより解決される。移動体装置は、動的でもあり静的でもある要素と理解される。
【００１０】
これを使って、混合物に関与させられる粒子は全て、相対運動において各々隣接した粒子にくっつくことが保障される。移動体装置は、混合物を混合室の中央から混合室の周辺部に導く。そこで混合物は、主混合工具により、すなわち下側の容器壁と移動体装置の間のお合う断面がほぼＶ字状の流路内に突出する混合機構の混合スクリューあるいは混合スパイラルの下側の端部により捕捉されかつ上方へ給送される。それにより混合物の申し分のない流れは、円錐形の混合室底部領域内で空間を占有しかつ効率良く生じる。同時に低摩耗の混合が可能であり、混合室は空になった後で申し分なく洗浄できかつ同時に混合容器も反応容器も形成する。
【００１１】
それにより、異なる流れ能力の成分、密度、湿気の程度そして粒子の大きさを確実にかつ均一に互いに混合することも可能である。同時に装置は自分の選択でバッチミキサあるいは連続式ミキサとして運転されることができる。
【００１２】
同時に垂直に支承された混合機構軸を備えたまっすぐに起立するミキサの公知の問題が解決される。ミキサが大きく構成されていればするほど、普通一般に、混合物はますます重なり合って重くなっており、動圧は下側の混合領域で増大する。このような場合、混合物は容易に圧縮しかつ凝集することができる。さらに混合工具は、増大された動圧を克服しなければならない。分散効果が不足するので、混合経過は困難にされる。垂直型ミキサの底部が円錐部あるいは切頭円錐部を備えていると、このことは特にひんぱんに生じる。円錐形で終わっている下側の混合領域にある材料は、混合工具の軌道を回る周速のためにほとんど分散可能でなく、従ってほとんど通流不能である。その理由で、ここにある材料はほとんど円を描いてだけ回転する。これまで、混合工具の螺旋形状を最適化し、回転周波数を上げることを試した。しかし、これは大きなミキサでは制限された状態でのみ可能である。どの場合でも、混合時間は劇的に延ばされる必要がある。その上さらに、混合時には、混合物の一部は混合容器から下方へと取出されかつ混合室に上方から再度新たに加えられる。
【００１３】
これらの難しさは全て、本発明による新しい解決手段により無くなり、この解決手段の場合、受入れ容器の下側の領域内に突出する移動体装置により、混合物は中央から周辺部に案内され、そこでは、混合物がそこから、混合機構の中央部の混合機構軸に沿って再度流れ落ちてくるか或いは流れ下ってくる前に、混合物が下側の容器壁と移動体装置の間の横断面がほぼＶ字状の流路を通って突出する、混合機構の混合スクリューあるいは混合スパイラルの下側の端部により捕捉され、螺旋状に混合機構軸を中心にして巻かれた渦巻バネにより、対応する並進運動でもって上方へ給送される。
【００１４】
移動体装置が放出開口部を開放するために受入れ容器の内部へ移動可能でありかつその目的で混合室の内部に配置されているのは有利である。その際に移動体装置は、混合工具とぶつからずにかつ混合効率に影響を与えずに、下方に開いた容器とミキサを空にするために、混合室内へ沈下するのに適している。
【００１５】
代替え的には、同様に混合工具とぶつからずにかつ混合効率に影響を与えずに、移動体装置は、放出開口部を開放するために、放出開口部の下方にも沈下可能であってもよい。
【００１６】
移動体装置は、混合室の内部に配置されておりかつ放出開口部を開放するために、受入れ容器の内部に移動可能である場合に、その下方縁部に混合容器の放出開口部よりも大きな直径を備えているのが有効である。それにより空になった開口部の密でかつ確実な閉鎖が保証される。同じことは、移動体装置が放出開口部を開放するために、放出開口部の下方に沈下可能である場合にもいえる。その際に、移動体装置は並進運動で混合室内へ移動可能であるかあるいは混合室から沈下可能であってもよい。代替え的に、移動体装置は持上り回転運動により受入れ容器の下側の端部へ移動化可能かあるいは下側の端部から沈下可能である。
【００１７】
どの場合でも、移動体装置は下側の容器壁でもって密に閉じる。移動体装置は、円錐形、双曲線形状、放物線形状、鱗状、ドーム状、屋根状、半球形状、トランペット形状、滴形状、切頭円錐形状、凸状あるいは凹状に形成されていてもよい。同様に静的な、平滑なあるいはドーム状の態様が可能である。移動体装置は固定された部材として構成されていてもよい。移動体装置は下方の側で駆動されかつ支承されており、高速でも低速でも設計されていてもよい。移動体装置は、凸状あるいは凹状に構成されていてもよい。加えて移動体装置は、並進運動で混合室内で可動であるかあるいは混合室から沈下可能であってもよい。それに加えて、移動体装置は開口部として形成されていてもよい。
【００１８】
別の構成は従属請求項から明らかになる。特に複数の、特に二つあるいは三つの受入れ容器がこのようにして一緒にオーバーラップされてもよく、従って二軸あるいは三軸のミキサが別の改善された混合特性で形成されることができる。
【００１９】
混合可能な材料が重力に基づき移動体装置に沿って滑るように移動体装置が形成されかつ設けられていると特に有利である。このようにして、混合可能な材料あるいは混合物は、容易に混合室の中央からその周辺へ、従って混合工具の捕捉領域に達する。
【００２０】
さらに、主混合工具が混合物を横断面がほぼＶ字状の流路の底部でも捕捉するように形成されていると有利である。これにより混合物のデッドスペース無しの捕捉と確実な混合が達せられる。
【００２１】
下側の容器壁の輪郭に合わせられている主混合工具により、混合物は容易に下側の容器壁に沿って横断面がほぼＶ字状の流路から上方へ給送されかつ効果的に混合されることができる。
【００２２】
それに加えて、そこから本質的な長所は、主混合工具が下側の容器壁に対して輪郭に平行に対応するように形成されていることであるのが明らかになる。従って主混合工具はこの場合、工具長にわたり好ましくは等しい小さな間隙が主混合工具と下側の容器壁の間にあるように下側の容器壁の輪郭に合わせられている。これにより特に効果的な混合が達せられる。
【００２３】
下側の容器壁と主混合工具の間に逃げ角が設けられていると特に有利である。このようにして、下側の容器壁と形成された主混合工具の間に達する混合物がストレスを与えられず、従ってさらに圧力をかけられずあるいは負荷をかけられないことが保障されることができる。
【００２４】
移動体装置の領域が主混合工具により拭われることはさらに有利である。この領域が移動体装置の下側の部分領域に設けられておりかつこの領域が、横断面がほぼＶ字状の流路の底部まで延びていると、混合物の特に良好な混合が保証されている。拭われる下側の部分領域が、最大限で受入れ容器の下側の領域の内部に突出する移動体装置の全高の三分の一に達するべきであるのが好ましい。
【００２５】
別の有利な実施形態は、移動体装置の下側縁部と移動体装置の上側の端部の間の表面の傾斜が、持ち上げ回転運動後に重力方向に対して最大限で６５°の角度を有することを考慮に入れている。このことは、移動体装置が受入れ容器の下側の領域内に突出する表面の傾斜が、それ自体開放された位置で、重力方向に対して垂直である水平平面に対して約２５°あるいはそれ以上に達することを意味する。この実施形態において、移動体装置が完全には混合室から沈下する必要がないことが有利である。従って重力方向において放出開口部を通る混合可能な材料の放出は、すでに１５〜３０°のわずかな開口角において行われる。従って、混合可能な材料が重力に基づき放出開口部を通って引渡されるように放出開口部を広く開けるために、わずかな持上げ回転運動だけでも十分である。それゆえ、この構成は放出開口部の下方における貴重な構造空間を節約する。
【００２６】
本発明の別の特徴、詳細および長所は、後に続く記載ならびに図により明らかになる。本発明の一致した実施例は、以下の図面に基づき模範的に詳しく説明されている。互いに対応する対象あるいは要素は全ての図面において同じ符号を備えている。
【図面の簡単な説明】
【００２７】
【図１】閉鎖位置における本発明による受入れ兼放出装置、混合機構および移動体装置の横断面図を示す。
【図２】開放位置における図１の変形形態を示す。
【図３】閉鎖位置における他の変形形態を示す。
【図４】閉鎖位置における変形形態を示す。
【図５】開放位置における図４の変形形態を示す。
【図６】代替え的開放位置における別の変形形態を示す。
【図７】閉鎖位置における変形形態を示す。
【図８】開放位置における図７による変形形態を示す。
【図９】代替え的開放位置における図７と８による変形形態を示す。
【図１０】動的移動体装置を備えた変形形態を示す。
【図１１】開放位置における図１０の変形形態を示す。
【図１２】代替え的開放位置における図１０の変形形態を示す。
【図１３】動的移動体装置を備えた別の変形形態を示す。
【図１４】開放位置における図１３の変形形態を示す。
【図１５】代替え的開放位置における図１３の変形形態を示す。
【図１６】膨張された移動体装置を備えた変形形態を示す。
【図１７】収縮された動的移動体装置を備えた図１６の変形形態を示す。
【図１８】閉鎖位置における付加的変形形態を示す。
【図１９】開放位置における図１８の変形形態を示す。
【図２０】代替え的開放位置における図１８の変形形態を示す。
【図２１】持ち上げ回転運動に伴う開放位置における図１８の変形形態を示す。
【図２２】代替え的開放位置と持ち上げ回転運動に伴う図２０の変形形態を示す。
【図２３】移動体装置において付加的拭い工具を備えた変形形態を示す。
【図２４】適当な異なる移動体装置を備えた二つの受入れ兼放出装置の二重の組合せを示す。
【図２５】三重の組合せを示す。
【図２６】三重の組合せの概略平面図を示す。
【図２７】動的移動体工具の平面図を示す。
【図２８】閉鎖位置における、本発明による受入れ兼放出装置の下側の領域、混合工具及び移動体装置の横断面図を示す。
【図２９】閉鎖位置における、本発明による受入れ兼放出装置の下側の領域、混合工具及び移動体装置の平面図を示す。
【図３０】受入れ容器の下側の領域の別の横断面図を示す。
【図３１】入れ容器の下側の領域の別の平面図を示す。
【図３２】受入れ容器の下側の領域の横断面図の詳細図を示す。
【図３３】受入れ容器の下側の領域の別の平面図を示す。
【図３４】受入れ容器の下側の領域の横断面図の別の詳細図を示す。
【図３５】受入れ容器の下側の領域の横断面図の別の詳細図を示す。
【図３６】受入れ容器の下側の領域の横断面図の別の詳細図を示す。
【図３７】受入れ容器の下側の領域の別の平面図を示す。
【図３８】受入れ容器の下側の領域の横断面図の別の詳細図を示す。
【図３９】受入れ容器の下側の領域の横断面図の別の詳細図を示す。
【図４０】受入れ容器の下側の領域の横断面図の別の詳細図を示す。
【図４１】開放位置と持ち上げ回転運動を伴う本発明による受入れ兼放出装置と移動体装置の横断面図を示す。
【図４２】開放位置と持ち上げ回転運動を伴う本発明による受入れ兼放出装置と移動体装置の横断面図を示す。
【発明を実施するための形態】
【００２８】
おおまかに１で示された、混合可能な材料を受入れ兼放出するための本発明による装置は、ほぼ円筒形の受入れ容器２を備えており、この受入れ容器は、切頭円錐形状の下側の領域３と、重力方向における下側の放出開口部４と、受入れ容器２において回転する混合機構５を有する。本発明による装置１の混合室７は受け入れ容器２と切頭円錐形状の下側の領域３により形成される。その付加的な混合工具５’，５”を備えた回転する混合機構５は、この混合室７内に配置されている。混合工具５’，５”のための駆動軸としても使用される混合機構５の混合機構軸６は中央で混合室７内に支承されている。ほぼ水平の旋回軸には上方に詳しくは示されていない混合駆動機構がある。混合機構軸６は少なくとも一つの混合機構５を備えており、この混合機構は螺旋状に混合機構軸６を中心にして渦巻バネとして巻かれていてもよい。混合機構軸６の下側の自由先端部８には、また別の混合工具９が主混合工具として配置されていてもよい。
【００２９】
放出開口部４は本発明によれば、受入れ容器２の切頭円錐形状の下側の領域３の内側に突出する移動体装置１０を備えている。この装置は特に先端が鋭角のあるいは広角のベル状体として構成されていてもよい。その形状は例えば円錐形、双曲線形状、放物線形状、鱗状、ドーム状、屋根状、半球形状、トランペット形状、滴形状、切頭円錐形状、凸状あるいは凹状に構成されていてもよい。移動体装置を動的に構成すべき、例えば図１０〜１５および図２７におけるように、ほぼ鎌形状１０ａで示すことも可能である。
【００３０】
如何なる場合でも、移動体装置１０，１０ａが容器壁１３の下側の縁部１１により密に閉鎖されることが考慮されている。移動体装置は並進運動で混合室７内へ可動であるかあるいは混合室から沈下可能でもある。
【００３１】
図１１はどのようにして移動体装置１０ａが、回転レバー１２による持上げ回転運動により受入れ容器２の下側の領域３から沈下させられるかを示しているが、図１２はどのようにして移動体装置１０ａが、持上げ回転運動により開いている受入れ容器２の下側の領域３内に移動される。持上げ回転運動の後の表面の傾斜角度は、急速でかつ慎重に空にすることを、放出開口部４の下方の構造スペースが僅かな場合でも保証するために、移動体装置１０，１０ａの下側縁部１７と移動体装置１０，１０ａの上側の端部２３の間で旋回方向に対して最大限６５°に達する。代替え的に移動体装置１０ａは図１４に一例として示されたように並進運動で混合室７から沈下されるか或いは図１５に示されたように混合室内の中に持上げられる。別の並進の開口部の運動は、図１９と２０から明らかになるが、別の持上げ回転運動は図２１と２２に示されている。
【００３２】
移動体装置１０は一方では固定された部材として構成されていてもよいが、混合効率を改善するために、図１０〜１５及び２７の中の符号１０ａで示されたように回転することもできる。移動体装置は、ガスが通過可能なプラスチックと同様に、平滑に磨かれた金属材料から形成されてもよい。移動体装置は、中空の材料と同様に中実の材料からも、可撓な材料からも製造されてもよい。この場合、移動体装置は膨張可能にあるいは収縮可能に、そして可撓に内側に向かってスライド可能でありかつ下方に向かって拡張可能である。それに加えて移動体装置１０の表面は、疎水性のナノ構造を備えている。それにより混合物は特に良好に重力により移動体装置１０に沿って滑動しかつ洗浄はこの面により容易にされることができる。
【００３３】
どの場合でも、移動体装置１０は下側の容器壁１３の円錐壁部に続いて、回転する主混合工具５”が混合物をデッドスペース無しでかつストレス無しで捕捉することができるように形成されているのが有利である。下側の容器壁１３と円筒形の受入れ容器２も疎水性のナノ構造を有する表面を備えていてもよい。
【００３４】
一態様において、移動体装置１０が回転する主混合工具５”により拭われることが考慮されている。さらに混合工具１４が図２３からわかるように付加的に移動体装置１０に配置されていてもよい。移動体装置１０のランス１５を介して、必要とあれば液体が付加えられることができる。
【００３５】
本発明による装置の実質的な長所は、実質的に中央部に混合工具５’，５”の駆動軸として使用される混合機構軸６に沿って流れ落ちて来る混合物が、切頭円錐形状で終わる受入れ容器２の底部において混合機構軸６、従って混合機構５の回転軸から周囲に案内され、これにより上昇流が生じることにある。これにより混合室７内にある混合物は全て、僅かな混合の領域も、集中的混合の領域も確実に流れ過ぎる。このことは、主混合工具５”、従って混合スクリューの下側の端部あるいは混合機構の下側の要素が、下側の容器壁１３と移動体装置１０の間のほぼＶ字状の流路１６内に突出することにより保証される。その際に移動体装置１０は動的な要素１０ａでも静的な要素１０であってもよい。どの場合でも、混合物に関与させられる粒子は全て、相対運動において各々隣接した粒子にくっつくことが保障される。これまで円錐形状のあるいは切頭円錐形状の出口を備えた縦型ミキサーの場合に存在する、中央にある材料がほとんど円内でだけ回転することにある問題は、簡単かつ効果的な方法で解決される。
【００３６】
受入れ装置１は図示された方式で簡単に開けられかつ空にされ、しかも完全に空にされることができる。このことは、移動体装置１０が放出開口部４の下方に沈下させられることによってか、或いは受入れ容器２の内部に移動されることによってかどちらか一方により、しかも並進運動によってか或いは持上げ回転運動によってかのどちらか一方により行われることはできる。代替え的に、図１６と１７示されたように、移動体装置１０が可撓に膨張可能かあるいは収縮可能であることが考慮されており、従って移動体装置はガスあるいは空気を排出する際に同様に受入れ容器２からの混合物の流出を可能にする。この課題は、移動体装置１０が可撓に内側に向かって下側の領域３内にかぶされるか或いは下方に向かって伸縮可能であるあることにより解決されることができる。ほぼ依然として付着している混合物は、移動体装置１０が振動技術的に反応しやすいことにより解決されることができる。移動体装置１０が回転する主混合工具５”により拭われることも考慮されている。
【００３７】
特別な長所は、図２４に示されたように、本発明による二つの装置１，１’，１”が、互いに組合される場合に明らかになる。図２５からわかるように、本発明による三つの装置が互いに組合されることができる。両方の場合において、混合効率はさらに高められ、混合時間の一部は短縮されることができる。混合工具５’，５”は、各混合機構軸６，６’，６”において、混合工具が互いにぶつからずかつ互いに固定できるように配置されており、そのように駆動されかつ制御されている。同じことは、容器壁１３と移動体装置１０の間の横断面がほぼＶ字状の流路１６内に突出する主混合工具５、従って混合スクリューの下側の端部あるいは混合機構の下側の要素にも言える。特別な長所は、混合機構５も疎水性のナノ構造をその表面に備える場合に明らかになる。
【００３８】
図２８は、閉鎖位置における、本発明による受入れ兼放出装置１の受入れ容器の下側の領域の横断面（図１）、主混合工具５”および移動体装置１０，１０ａを示す。見ての通り、混合機構５の主混合工具５”（図１）は、容器壁１３と移動体装置１０，１０ａの間の横断面がほぼＶ字状の流路１６内に突出している。主混合工具５”はその領域内において破線で示されており、この領域内で主混合工具は横断面がほぼＶ字状の流路１６内に突出している。主混合工具５”は、主混合工具５”の下側の端部が、横断面がほぼＶ字状の流路１６の底部２２の上を通って完全すれすれまで達し、この流路が縁部１１を通って下側の容器壁１３と移動体装置１０，１０ａの間に形成されているように、横断面がほぼＶ字状の流路１６内に突出している。それに加えて主混合工具５”は、混合物を横断面がほぼＶ字状の流路１６の底部２２で捕捉するように形成されている。このために主混合工具５”の先端部２０は、横断面がほぼＶ字状の流路１６まで達している。主混合工具５”は図示された実例では、移動体装置１０，１０ａの下側の部分領域においてのみ移動体装置１０，１０ａを拭い、従って上方から移動体装置１０，１０ａ上に流れ落ちてくるか或いは流れ下ってくる混合物は、もっぱら移動体装置１０，１０ａの重力によってだけ混合室７の中央から主混合工具の周辺部に案内される。そこで混合物は主混合工具５”により捕捉され、かつ再度上方へ送られる。この目的で回転する主混合工具５”は下側の容器壁１３の輪郭部に合されており、かつ下側の容器壁に対して輪郭に平行に対応するように形成されている。実施例において、混合機構５の混合スクリューあるいは混合スパイラルの下側の端部（図１）であってもよい主混合工具５”は、スクリューベルトあるいは混合機構スパイラルとして構成されていてもよい。移動体装置１０，１０ａは、図２８，２９および３３〜４０による描写では閉鎖位置にあり、従って、容器壁１３の下側の縁部１１と移動体装置１０，１０ａの間には放出開口部４（図２）閉鎖する封隙領域が構成されている。封隙領域はこの実施例において移動体装置１０，１０ａの下側縁部１７の上方に配置されている。それに加えて、封隙領域はこの実施例において横断面がほぼＶ字状の流路１６の底部２２を形成している。図２８に示された実施例においては、移動体装置１０，１０ａが放出開口部４（図２）の下方に沈下されることにより、放出開口部４（図２）を開放することができる。
【００３９】
図２９は、閉鎖位置における、本発明による受入れ兼放出装置１（図１）の受入れ容器２（図１）の図２８に示された下側の領域３と主混合工具５”と移動体装置１０，１０ａを、下側の自由な先端部８（図１）の方向から見た平面図を示す。図２９において見て取れるように、主混合工具５”は、主混合工具５”の先端部２０が主混合工具５”の下側の端部として、断面がほぼＶ字状の流路１６（図２８）の底部２２まで達し、この流路が縁部１１（図２８）を通って下側の容器壁１３と移動体装置１０，１０ａの間に形成されているように、断面がほぼＶ字状の流路１６（図２８）内に突出している。その際に主混合工具５”は、混合物を断面がほぼＶ字状の流路１６（図２８）の底部２２で捕捉するように形成されている。このために、主混合工具５”は先端部２０を備えており、この先端部は断面がほぼＶ字状の流路１６（図２８）の底部２２まで達している。下側の部分領域では、主混合工具５”が移動体装置１０，１０ａを拭う。このために、主混合工具５”の先端部２０は、この領域において移動体装置１０，１０ａの輪郭に合わされている。主混合工具５”は下側の容器壁１３に対して輪郭に平行に対応するように形成されているので、混合物は混合機構軸を中心に主混合工具５”を回転させる際に確実に下側の容器壁１３に沿って上方へ送られる。
【００４０】
図３０により、受入れ容器１（図１）の下側の領域３の別の横断面図が示される。しかしその際に、主混合工具５”の配設の描写への対象点は、断面がほぼＶ字状の流路１６（図２９）内に移されたので、図３０は下側の領域３の一部分だけを示す。混合物が混合機構軸６（図１）に沿って振りかけられるか或いは流れ落ちて来て、かつ移動体装置１０，１０ａにより混合室７（図１）の中央からその周辺部へ案内された後に、主混合工具５”により捕捉された混合物は、下側の容器壁１３に沿って上方へ送られるのが有利である。主混合工具５”による混合物を効率的に送るために、下側の容器壁１３と主混合工具５”の間の間隙はわずかである。すなわち、主混合工具５”は下側の容器壁１３に合わせられており、同時に主混合工具５”は下側の容器壁１３に対して輪郭に平行に対応するように形成されている。図３０においても移動体装置１０，１０ａは閉鎖位置で示されている。ここに示された実施例において、移動体装置１０，１０ａが受入れ容器２（図１）の内部へ移動可能であることにより、放出開口部４（図２）を開放することができる。その下側縁部１７を備えた移動体装置１０，１０ａは、ここでは閉鎖位置において、容器壁部１３でもって封隙領域を構成する。それに加えて、主混合工具５”の下側の端部、従って先端部２０は、横断面がほぼＶ字状の流路１６の底部２２の上を通って完全すれすれまで達し、この流路は縁部１１を通って下側の容器壁１３と移動体装置１０，１０ａの間に形成されていることは認識され得る。主混合工具５”と横断面がほぼＶ字状の流路１６の底部２２の間のここで生じる間隙は、底部２２にある混合物が捕捉されるように選定される。その上、主混合工具５”の先端部２０は、混合物の捕捉がストレス無しで行われるように形成されている。これにより混合物はもうそれ以上ストレスをかけられず、保護される。従って間隙２１と先端部２０は、収容される混合可能な材料に依存して、従って混合物の大きさと状態に依存して大きさを決め得るので、デッドスペース無しでかつストレス無しでの混合物の捕捉が保証されている。
【００４１】
図３１には受入れ容器１（図１）の下側の領域３の別の平面図が示されている。とらえ方は図２９と似ており、このとらえ方から、方向は下側の領域３に注意を向けられ、この方向には下側の自由な端部８（図１）が突出している。符号Ｘ−Ｘを付けている破線により、図３２において示されている横断面平面が配置されている。主混合工具５”は実施例においては連続的に先細りになっている。先端部２０でもって、主混合工具５”は、すでに前述に記載されたように、下側の容器壁１３と移動体装置１０，１０ａの間の横断面がほぼＶ字状の流路１６内に突出している。
【００４２】
図３２の断面図は、図３１でＸ−Ｘで示された切断面における、受入れ容器２（図１）の下側の領域３の横断面を詳細に描写されて状態で示している。お分かりのように、主混合工具５”の先端部２０（図３１）は、主混合工具５”の下側の端部として横断面がほぼＶ字状の流路１６の底部２２の上を通って完全すれすれまで突出しており、この流路は下側の容器壁１３と移動体装置１０，１０ａの間の縁部を通って形成されている。
【００４３】
図３３により、図２９と３１と似た別の平面図が受入れ容器２（図１）の下側の領域３に示されている。平面図のとらえ方は図２９６と３１のように選ばれている。図３３において、三つの切断面Ｘ−Ｘ，Ｙ−Ｙ，Ｚ−Ｚが記入されており、これらは図３４，３５および３６に描かれている。主混合工具５”は実施例においては先細りになっており、主混合工具５”の先端部２０は移動体装置１０，１０ａの形状に合わされている。主混合工具５”はすでに先に説明されてようにその先端部２０でもって下側の容器壁１３と移動体装置１０，１０ａの間の横断面がほぼＶ字状の流路１６（図２８）内に突出している。
【００４４】
図３４の断面図には、細かく描写された状態で図３３におけるＸ−Ｘで示された切断面における受入れ容器２（図１）の下側の領域３の断面図が示されている。主混合工具５”は、移動体装置１０，１０ａ、下側の容器壁１３および主混合工具５”の間の小さな間隙だけが残るように横断面がほぼＶ字状の流路１６（図２）内に突出している。それにより、混合物も横断面がほぼＶ字状の流路１６（図２）の底部２２で捕捉されることが保障されることができる。このようにして、混合物が主混合工具５”によりデッドスペース無しで捕捉されることが保証されている。移動体装置１０，１０ａはここでは下側の領域で主混合工具５”により拭われるが、これは移動体装置１０，１０ａの上側の部分領域では行われない。この上側の部分領域において、混合物は重力に従ってのみ移動体装置１０，１０ａに沿って滑走する。
【００４５】
図３５の断面図には、細かく描写された状態で図３３におけるＹ−Ｙで示された切断面における受入れ容器２（図１）の下側の領域３の断面図が示されている。輪郭に平行に一致する形状に基づいて、主混合工具５”のこの位置においても工具長にわたり一定の間隙２１がある。下側の容器壁１３と主混合工具５”の間の間隙２１は、見ての通り、主混合工具５”による容器壁１３に沿った混合物の効果的な給送が保証されているように小さく選定されている。このために、主混合工具５”は下側の容器壁１３の輪郭に合っている。
【００４６】
図３６の断面図には、細かく描写された状態で図３３におけるＺ−Ｚで示された切断面における受入れ容器２（図１）の下側の領域３の断面図が示されている。この位置においても、主混合工具５”と下側の容器壁１３の間には適当な間隙２１がある。
【００４７】
図３７により、受入れ容器２（図１）の下側の領域３の図３１と３３に似た別の平面図が示されている。平面図のとらえ方は図３１と３３のように選定されている。図３７には同様にＸ−Ｘ，Ｙ−Ｙ，Ｚ−Ｚが記入されており、これらは図３８，３９および４０に描かれている。主混合工具５”は実施例においては先細りになっており、主混合工具５”の先端部２０は移動体装置１０，１０ａの形状に合っている。主混合工具５”は先端部２０により、すでに先に記載されたように、下側の容器壁１３と移動体装置１０，１０ａの間の横断面がほぼＶ字状の流路１６（図２８）内に突出している。
【００４８】
図３８の断面図には、細かく描写された状態で図３３におけるＸ−Ｘで示された切断面における受入れ容器２（図１）の下側の領域３の断面図が示されている。主混合工具５”は、小さい間隙２１だけが移動体装置１０，１０ａ、下側の容器壁１３および主混合工具５”の間に残るように横断面がほぼＶ字状の流路１６（図２８）内に突出している。移動体装置１０，１０ａはここでは主混合工具５”の下側の部分領域内で拭われるが、これは移動体装置１０，１０ａの上側の部分領域内では行われない。図３４による実施例とは異なり、下側の容器壁１３と主混合工具５”の間には逃げ角１８が配置されている。逃げ角１８は、混合物の給送が容器壁１３に沿ってストレス無しで行われることができるように配置されている。従って、下側の容器壁１３と主混合工具５”の間の間隙２１内に入り込む混合物は、給送方向で背後にある逃げ角１８によりそれ以上ストレスをかけられず、保護される。主混合工具５”を前もって回転させる場合には捕捉されなかった混合物は、その後の回転の一つの際に捕捉されかつ上方に給送される。これにより、主混合工具５”による混合物のストレスの無い捕捉が保証されている。
【００４９】
図３９の断面図には、細かく描写された状態で図３７におけるＹ−Ｙで示された切断面における受入れ容器２（図１）の下側の領域３の断面図が示されている。下側の容器壁１３と主混合工具５”の間の間隙２１は、主混合工具５”による下側の容器壁１３に沿った混合物の効果的な給送が保証されているように小さく選定されている。それに加えて、主混合工具５”と下側の容器壁１３の間の逃げ角１８により、下側の容器壁１３に沿った主混合工具５”による混合物の捕捉がストレス無しで行われることが保証されている。
【００５０】
図４０の断面図には、細かく描写された状態で図３７におけるＺ−Ｚで示された切断面における受入れ容器２（図１）の下側の領域３の断面図が示されている。この場所にも、主混合工具５”と下側の容器壁１３の間に逃げ角１８を備えた適当な間隙２１がある。
【００５１】
図４１と４２は、切頭円錐形状の下側の領域３と重力方向における下側の放出開口部４を備えた円筒形の受入れ容器２を有する本発明による装置１を示す。下側の領域３の内部に突出する移動体装置１０，１０ａは、閉鎖位置において放出開口部４を閉鎖する。移動体装置１０，１０ａは、破線で書かれた状態で開口位置で示されており、図４１と４２における開口角とは異なっている。開口角はここでは持上げ回転運動により現れ、この運動の場合、移動体装置１０，１０ａは、受入れ容器２の下側の領域３から沈下される。図４１には、約１５°の開口角が示されているがそれに対して図４２では２０°の開口角が示されている。３０°の開口角の場合ですら、持上り回転運動後の移動体装置１０，１０ａの下側縁部１７と移動体装置１０，１０ａの上側の端部２３の間の表面の傾斜は、重力方向に対して最大限で６５°の角度を有する。従って、その傾斜により移動体装置１０，１０ａが受入れ容器の下側の領域内に突出する表面の傾斜は、それ自体開放された位置では、重力方向に対して垂直である水平平面に対して約２５°あるいはそれ以上に達する。
【００５２】
本発明が図示された実施例に限定されていないのは当然である。別の態様は根本思想を離れることなく可能である。従って、例えば移動体装置１０を動的にかつ静的にではなく構成することも可能である。この場合、移動体装置１０ａは、例えば図１０〜１５および２７に示されたように、軸１９を中心に回転する。この目的で、移動体装置１０ａには伝動機構を備えた固有の駆動装置が設けられていてもよい。それに加えて少なくとも一つの動的付加的な工具が設けられていてもよい。さらに本発明により混合可能な材料は、湿った材料の他に特に粉末あるいは固体の微小体であってもよい。
【符号の説明】
【００５３】
１  装置
２  受入れ容器
３  切頭円錐形状の下側の領域
４  放出開口部
５  混合機構
５’  混合工具
５”  主混合工具
６  混合機構軸
６’，６”  混合機構軸
７  混合室
８  下側の自由な先端部
９  混合工具
１０  移動体装置
１０ａ  移動体装置
１１  下側の縁部
１２  回転レバー
１３  下側の容器壁、円錐壁部
１４  混合工具
１５  ランス
１６  横断面がＶ字状の流路
１７  移動体装置の下側縁部
１８  逃げ角
１９  移動体装置の軸
２０  主混合工具の先端部
２１  間隙
２２  Ｖ字状の流路の底部
２３  移動体装置の上側の端部
【図１】
2017506576.tif 000003
【図２】
2017506576.tif 000004
【図３】
2017506576.tif 000005
【図４】
2017506576.tif 000006
【図５】
2017506576.tif 000007
【図６】
2017506576.tif 000008
【図７】
2017506576.tif 000009
【図８】
2017506576.tif 000010
【図９】
2017506576.tif 000011
【図１０】
2017506576.tif 000012
【図１１】
2017506576.tif 000013
【図１２】
2017506576.tif 000014
【図１３】
2017506576.tif 000015
【図１４】
2017506576.tif 000016
【図１５】
2017506576.tif 000017
【図１６】
2017506576.tif 000018
【図１７】
2017506576.tif 000019
【図１８】
2017506576.tif 000020
【図１９】
2017506576.tif 000021
【図２０】
2017506576.tif 000022
【図２１】
2017506576.tif 000023
【図２２】
2017506576.tif 000024
【図２３】
2017506576.tif 000025
【図２４】
2017506576.tif 000026
【図２５】
2017506576.tif 000027
【図２６】
2017506576.tif 000028
【図２７】
2017506576.tif 000029
【図２８】
2017506576.tif 000030
【図２９】
2017506576.tif 000031
【図３０】
2017506576.tif 000032
【図３１】
2017506576.tif 000033
【図３２】
2017506576.tif 000034
【図３３】
2017506576.tif 000035
【図３４】
2017506576.tif 000036
【図３５】
2017506576.tif 000037
【図３６】
2017506576.tif 000038
【図３７】
2017506576.tif 000039
【図３８】
2017506576.tif 000040
【図３９】
2017506576.tif 000041
【図４０】
2017506576.tif 000042
【図４１】
2017506576.tif 000043
【図４２】
2017506576.tif 000044
【国際調査報告】
2017506576.tif 000045
2017506576.tif 000046
2017506576.tif 000047
2017506576.tif 000048
2017506576.tif 000049
2017506576.tif 000050